(57)【要約】【課題】柱支持台と木質柱との結合を柱受枠体を介することにより強固にし，木質柱が，揺振力を何れの方向から受けた場合でもひび割れや座屈を起こすのを阻止し，かつ経年変化で縮径または拡径したときにも上記結合関係を維持する。【解決手段】Ｌ形枠１３の内側に起立の芯板１４の端面に当接板１５を脱着自在にしてなる柱受枠体ｂを，木質柱Ｂの下端部の縦設溝２６に芯板１４を受入するとともに，上記下端部外周の対向両側面の切欠段部２７，２８に起立板１２と当接板１５を受入することにより，該木質柱Ｂの下端部に取り付け，上記柱受枠体ｂの底板１１を柱支持台ａの天板１上に重合乗載して，上記木質柱Ｂを柱支持台ａ上に設立し，上記柱受枠体ｂを上記柱支持台ａ上に全方向に小傾動可能な状態に連結保持具ｃにより連結保持してなる。【選択図】  図７
2007138507.tif 000002
【特許請求の範囲】
【請求項１】
ア．  底板（１１）の一側辺縁に起立板（１２）を起立固着したＬ形枠（１３）の内側中央に芯板（１４）を起立固着するとともに，上記底板（１１）の他側辺縁において上記芯板（１４）の端面に当接板（１５）を脱着自在にしてなり，木質柱（Ｂ）の下端部に嵌合状態において取り付ける鋼材製の柱受枠体（ｂ）と，
イ．  上記構成の柱受枠体（ｂ）を天板（１）上に乗載する鋼材製の柱支持台（ａ）と，
ウ．  上記柱支持台（ａ）上に上記柱受枠体（ｂ）を全方向に小傾動可能な状態に連結保持する連結保持具（ｃ）とからなることを特徴とする木造建築物の柱脚構造用金具。
【請求項２】
上記連結保持具（ｃ）が，吊下ボルト（３２），合わせ皿バネ（３４）およびナット（３５）等からなることを特徴とする請求項１記載の木造建築物の柱脚構造用金具。
【請求項３】
上記柱受枠体（ｂ）が，その芯板（１４）の端面に当接板（１５）を可動状態で取り付ける横ボルト（１６），合わせ皿バネ（１８）およびナット（１９）等からなる緊締保持具（ｅ）を備えていることを特徴とする請求項１または２記載の木造建築物の柱脚構造用金具。
【請求項４】
上記柱受枠体（ｂ）が，木質柱（Ｂ）のボルト用長孔（３０）と芯板（１４）のボルト孔（２５）に貫通する貫通ボルト（ｄ）とこれに螺合するナット（ｄ′）を備えていることを特徴とする請求項１，２または３記載の木造建築物の柱脚構造用金具。
【請求項５】
上記柱受枠体（ｂ）が，その芯板（１４）の両側端面（起立板（１２）および当接板（１５）側の端面）に，起立板（１２）および当接板（１５）の中央に開設の窓孔（２１，２１′）と連通する切込み空処（２０，２０′）を開設し，その切込み空処（２０，２０′）内に縦ボルト（２２，２２′）を植設するとともに，その縦ボルト（２２，２２′）に螺合するナット（３３，３３′）を備えていることを特徴とする請求項１，２，３または４記載の木造建築物の柱脚構造用金具。
【請求項６】
上記柱受枠体（ｂ）が，その底板（１１）に，上記吊下ボルト（３２）を吊下するボルト孔（２４）を開設するとともに逆円錐形突起片（２３）を垂設し，上記柱支持台（ａ）が，その天板（１）に，上記吊りボルト（３２）を挿通するボルト孔（７）を開設するとともに上記逆円錐形突起片（２３）を受入する軸受孔（６）を開設してなることを特徴とする請求項１，２，３，４または５記載の木造建築物の柱脚構造用金具。
【請求項７】
ア．  底板（１１）の一側辺縁に起立板（１２）を起立固着したＬ形枠（１３）の内側中央に芯板（１４）を起立固着するとともに，上記底板（１１）の他側辺縁において上記芯板（１４）の端面に当接板（１５）を脱着自在にしてなる鋼材製の柱受枠体（ｂ）を，
イ．木質柱（Ｂ）の下端部の中央に掘削形成した縦設溝（２６）に上記芯板（１４）を受入するをするとともに，上記下端部の外周の対向両側面に形成した切欠段部（２７，２８）に上記起立板（１２）と当接板（１５）を受入することにより，該木質柱（Ｂ）の下端部に取り付け，
ウ．  上記柱受枠体（ｂ）の底板（１１）を鋼材製の柱支持台（ａ）の天板（１）上に重合乗載することにより，上記木質柱（Ｂ）を柱支持台（ａ）上に設立し，
エ．  上記柱受枠体（ｂ）を上記柱支持台（ａ）上に全方向に小傾動可能な状態に連結保持具（ｃ）により連結保持してなることを特徴とする木造建築物の柱脚構造。
【請求項８】
上記柱受枠体（ｂ）が，木質柱（Ｂ）の下端部のボルト用長孔（３０）と芯板（１４）のボルト孔（２５）とに貫通させた貫通ボルト（ｄ）とこれに螺合したナット（ｄ′）により，木質柱（Ｂ）の下端部に取り付けられていることを特徴とする請求項７記載の木造建築物の柱脚構造。
【請求項９】
上記柱受枠体（ｂが，その芯板（１４の両側端面（起立板（１２および当接板（１５側の端面）（２０，２０′）に，上記起立板（１２）および当接板（１５）の中央に開設の窓孔（２１，２１′）と連通するようにして開設した切込み空処（２０，２０）内に縦ボルト（２２，２２′）を設立を開設し，その縦ボルト（２２，２２′）にナット（３３，３３′）を螺進することにより，上記柱受枠体（ｂ）の底板（１１）を上記木質柱（Ｂ）の下端部の下面に密接緊締してなることを特徴とする請求項７または８記載の木造建築物の柱脚構造。
【請求項１０】
上記柱受枠体（ｂ）が，その底板（１１）に開設のボルト孔（２４）に吊下した吊下ボルト（３２）を上記柱支持台（ａ）の天板（１）に開設したボルト孔（７）から垂下するとともに，同底板（１１に垂設した逆円錐形突起片（２３を上記天板（１）に開設の軸受孔（６）に受入し，かつ，上記吊下ボルト（３２）の垂下部分に，連結保持具（ｃ）の合わせ皿バネ（３４）およびナット（３５）を装架緊結してなることを特徴とする請求項７，８または９記載の木造建築物の柱脚構造。
【請求項１１】
上記柱受枠体（ｂ）が，その芯板（１４）の端面に突設した横ボルト（１６）を当接板（１５）のボルト孔（１７）から突出させ，その突出部分に，緊締保持具（ｅ）の合わせ皿バネ（１８）およびナット（１９）を装架緊結してなることを特徴とする請求項７，８，９または１０記載の木造建築物の柱脚構造。
【発明の詳細な説明】
【技術分野】
【０００１】
本発明は木造建築物の柱脚構造とその柱脚構造用金具に関する。
【背景技術】
【０００２】
従来，木造建築物の柱脚構造として，上面に芯板を直立した鋼材製の柱支持台を布基礎上にアンカーボルトで固定し，木質柱を，その下端部に掘削形成してある嵌合溝を上記芯板に嵌合した状態で上記柱支持台上に設立させ，ドリフトピンまたはボルト・ナットにより，その木質柱の下端部と芯板とを結合固定した構成のものが，特許文献１〜３等に記載され公知である。
【特許文献１】特開２００１−１０７４５６号公報
【特許文献２】特開２００３−２１３２８０号公報
【特許文献３】特開平９−３１０４１３号公報
【発明の開示】
【発明が解決しようとする課題】
【０００３】
しかし，上記公知の柱脚構造は，全体として剛体構造をなし，木質柱を柱支持台上に強固に設立しているとはいえ，地震等による揺振力が上記芯板の長さ方向に作用したときに比べ，厚さ方向に作用したときは脆弱であり，また，地震等による揺振力は，当然ながら，上記芯板の長さ方向や厚さ方向に常に直角に作用するとは限らず，これら両方向とは異なるあらゆる方向から作用する可能性があるが，そのようなときにはねじれ現象が起きることになる。
【０００４】
しかも，上記の揺振力が作用した場合，柱支持台と布基礎とは，その固定関係を損なうことは少ないとしても，木質柱は，上記芯板および柱支持台との間にねじれ現象を起こし，その大きさや反復回数等により，ひび割れしたり座屈したりするおそれがある。
【０００５】
また，一般に木質柱は，それが丸太からの製材であるとき当初含水率約３０％を経年低下させて縮径し，集成材であるとき当初含水率約７％を経年増加させて拡径するが，このような経年変化にともなう木質柱と柱支持台またはその上面の芯板との間の嵌合度または密着度の変化に，上記従来公知の柱脚構造では全く対応しきれない。
【０００６】
本発明は，第１に，従来に比べ鋼材製の柱支持台と木質柱との結合固定を柱受枠体を介し一層強固にすること，第２に，地震等による揺振力が何れの方向から作用した場合においても，その方向に沿って木質柱が上記柱受枠体を介して柱支持台に対し小傾動し，ひび割れや座屈を起こすのを阻止すること，第３に，木質柱が経年変化で縮径または拡径した場合には，木質柱の下端部と上記柱受枠体との結合固定関係を最も適切な状態に追従維持すること，ができるようにし，これによって，上記公知の柱脚構造の欠点を改善すること等を目的に提案された木造建築物の柱脚構造とその柱脚構造用金具に係るものである。
【課題を解決するための手段】
【０００７】
請求項１記載の本発明木造建築物の柱脚構造用金具は，
ア．  底板１１の一側辺縁に起立板１２を起立固着したＬ形枠１３の内側中央に芯板１４を起立固着するとともに，上記底板１１の他側辺縁において上記芯板１４の端面に当接板１５を脱着自在にしてなり，木質柱Ｂの下端部に嵌合状態において取り付ける鋼材製の柱受枠体ｂと，
イ．  上記構成の柱受枠体ｂを天板１上に乗載する鋼材製の柱支持台ａと，
ウ．  上記柱支持台ａ上に上記柱受枠体ｂを全方向に小傾動可能な状態に連結保持する連結保持具ｃとからなる。
【０００８】
請求項２記載の本発明は，上記連結保持具ｃが，吊下ボルト３２，合わせ皿バネ３４およびナット３５等からなる請求項１記載の木造建築物の柱脚構造用金具である。
【０００９】
請求項３記載の本発明は，上記柱受枠体ｂが，その芯板１４の端面に当接板１５を可動状態で取り付ける横ボルト１６，合わせ皿バネ１８およびナット１９等からなる緊締保持具ｅを備えている請求項１または２記載の木造建築物の柱脚構造用金具である。
【００１０】
請求項４記載の本発明は，上記柱受枠体ｂが，木質柱Ｂのボルト用長孔３０と，芯板１４のボルト孔２５に貫通する貫通ボルトｄと，これに螺合するナットｄ′を備えている請求項１，２または３記載の木造建築物の柱脚構造用金具である。
【００１１】
請求項５記載の本発明は，上記柱受枠体ｂが，その芯板１４の両側端面（起立板１２および当接板１５側の端面）に，起立板１２および当接板１５の中央に開設の窓孔２１，２１′と連通する切込み空処２０，２０′を開設し，その切込み空処２０，２０′内に縦ボルト２２，２２′を植設するとともに，その縦ボルト２２，２２′に螺合するナット３３，３３′を備えている請求項１，２，３または４記載の木造建築物の柱脚構造用金具である。
【００１２】
請求項６記載の本発明は，上記柱受枠体ｂが，その底板１１に，上記吊下ボルト３２を吊下するボルト孔２４を開設するとともに逆円錐形突起片２３を垂設し，上記柱支持台ａが，その天板１に，上記吊下ボルト３２を挿通するボルト孔７を開設するとともに上記逆円錐形突起片２３を受入する軸受孔６を開設してなることを特徴とする請求項１，２，３，４または５記載の木造建築物の柱脚構造用金具である。
【００１３】
請求項７記載の本発明木造建築物の柱脚構造は，
ア．  底板１１の一側辺縁に起立板１２を起立固着したＬ形枠１３の内側中央に芯板１４を起立固着するとともに，上記底板１１の他側辺縁において上記芯板１４の端面に当接板１５を脱着自在にしてなる鋼材製の柱受枠体ｂを，
イ．木質柱Ｂの下端部の中央に掘削形成した縦設溝２６に上記芯板１４を受入するとともに，上記下端部の外周の対向両側面に形成した切欠段部２７，２８に上記起立板１２と当接板１５を受入することにより，該木質柱Ｂの下端部に取り付け，
ウ．  上記柱受枠体ｂの底板１１を鋼材製の柱支持台ａの天板１上に重合乗載することにより，上記木質柱Ｂを柱支持台ａ上に設立し，
エ．  上記柱受枠体ｂを上記柱支持台ａ上に全方向に小傾動可能な状態に連結保持具ｃにより連結保持してなる。
【００１４】
請求項８記載の本発明は，上記柱受枠体ｂが，木質柱Ｂの下端部のボルト用長孔３０と芯板１４のボルト孔２５とに貫通させた貫通ボルトｄとこれに螺合したナットｄ′により，木質柱Ｂの下端部に取り付けられている請求項７記載の木造建築物の柱脚構造である。
【００１５】
請求項９記載の本発明は，上記柱受枠体ｂが，その芯板１４の両側端面（起立板１２および当接板１５側の端面）２０，２０′に，上記起立板１２および当接板１５の中央に開設の窓孔２１，２１′と連通するようにして開設した切込み空処２０，２０内に縦ボルト２２，２２′を設立を開設し，その縦ボルト２２，２２′にナット３３，３３′を螺進することにより，上記柱受枠体ｂの底板１１を上記木質柱Ｂの下端部の下面に密接緊締してなる請求項７または８記載の木造建築物の柱脚構造である。
【００１６】
請求項１０記載の本発明は，上記柱受枠体ｂが，その底板１１に開設のボルト孔２４に吊下した吊下ボルト３２を上記柱支持台ａの天板１に開設したボルト孔７から垂下するとともに，同底板１１に垂設した逆円錐形突起片２３を上記天板１に開設の軸受孔６に受入し，かつ，上記吊下ボルト３２の垂下部分に，連結保持具ｃの合わせ皿バネ３４およびナット３５を装架緊結してなる請求項７，８または９記載の木造建築物の柱脚構造である。
【００１７】
請求項１１記載の本発明は，上記柱受枠体ｂが，その芯板１４の端面に突設した横ボルト１６を当接板１５のボルト孔１７から突出させ，その突出部分に，緊締保持具ｅの合わせ皿バネ１８およびナット１９を装架緊結してなる請求項７，８，９または１０記載の木造建築物の柱脚構造である。
【発明の効果】
【００１８】
本発明によれば，従来に比べ鋼材製の柱支持台と木質柱との結合固定を柱受枠体を介し一層強固にすることができるとともに，地震等による揺振力が何れの方向から作用した場合においても，その方向に沿って木質柱が柱受枠体を介し上記柱支持台に対し小傾動して，ひび割れや座屈を起こすのを阻止することができ，さらに，木質柱が経年変化で縮径または拡径した場合には，木質柱の下端部と柱受枠体との結合固定関係を最も適切な状態に維持させることができ，これによって，前記公知の柱脚構造の欠点を改善することが可能である。
【発明を実施するための最良の形態】
【００１９】
ア．底板１１の一側辺縁に起立板１２を起立固着したＬ形枠１３の内側中央に芯板１４を起立固着するとともに，上記底板１１の他側辺縁において上記芯板１４の端面に当接板１５を脱着自在にしてなる鋼材製の柱受枠体ｂを，イ．木質柱Ｂの下端部の中央に掘削形成した縦設溝２６に上記芯板１４を受入するとともに，上記下端部の外周の対向両側面に形成した切欠段部２７，２８に上記起立板１２と当接板１５を受入することにより，該木質柱Ｂの下端部に取り付け，ウ．上記柱受枠体ｂの底板１１を鋼材製の柱支持台ａの天板１上に重合乗載することにより，上記木質柱Ｂを柱支持台ａ上に設立し，エ．上記柱受枠体ｂを上記柱支持台ａ上に全方向に小傾動可能な状態に連結保持具ｃにより連結保持してなる本発明木造建築物の柱脚構造。
【実施例】
【００２０】
以下図示の実施例について詳述する。
本発明柱脚構造用金具Ａは，概括的には，布基礎Ｄ上に乗載固定する鋼材製の柱支持台ａと，木質柱Ｂの下端部にしっかりと取り付けられかつ上記柱支持台ａ上に全方向に小傾動可能な状態で乗載する同じく鋼材製の柱受枠体ｂと，この柱受枠体ｂを柱支持台ａ上に全方向に小傾動可能な状態に連結保持する連結保持具ｃと，木質柱Ｂの下端部と柱受枠体ｂとを貫通緊締する貫通ボルトｄと，上記柱受枠体ｂの当接板１５を芯板１４の端面に緊締する緊締保持具ｅとからなるものである。
【００２１】
本発明柱脚構造Ｃは，木質柱Ｂを柱脚構造用金具Ａにより起立支持してなるもので，以下には，この柱脚構造Ｃの詳細を，柱脚構造用金具Ａを構成する上記柱支持台ａ，柱受枠体ｂ，連結保持具ｃ，貫通ボルトｄおよび緊締保持具ｅの構成とともに説明する。
【００２２】
鋼材製の上記柱支持台ａは，各々正方形状の天板１，底板２および外側板３，４で形成された角形短筒体内を補強用の仕切り板５により２分してなる。
上記天板１は，その４隅角部の各々に軸受孔６・・・を開設するとともに，仕切り板５の両側対称位置にボルト孔７，７を開設している。また，上記底板２は，仕切り板５の両側対称位置にボルト挿通孔８，８を開設している。
この柱支持台ａは，布基礎Ｄに植設したアンカーボルト９，９（一方のみ図示）を上記ボルト挿通孔８，８を通じ突出させ，その突出端部にナット１０，１０（一方のみ図示）を螺合緊締することにより，布基礎Ｄ上にしっかりと固定される（図６，７）。
【００２３】
鋼材製の上記柱受枠体ｂは，底板１１の一側辺縁に起立板１２を起立固着したＬ形枠１３の内側中央に芯板１４を起立固着するとともに，底板１１の他側辺縁において芯板１４の端面に当接板１５を脱着自在に取り付け，上記起立板１２に平行に対向させることができるようにしてなる。
【００２４】
すなわち，当接板１５は，芯板１４の端面に突設した複数本の横ボルト１６・・・にボルト孔１７・・・を嵌合し，合わせ皿バネ１８・・・，ナット１９・・・からなる緊締保持具ｅで緊締することにより，芯板１４の端面に脱着自在に取り付けられる。
【００２５】
２０，２０′は，芯板１４の両側端面（起立板１２および当接板１５側の端面）に開設した切込み空処で，起立板１２および当接板１５の中央に開設の窓孔２１，２１′と連通する関係になっている。２２，２２′は，切込み空処２０，２０′内に設立したボルトである。
【００２６】
上記底板１１は，柱支持台ａの天板１と同形同大で，その天板１の上記各軸受孔６・・・に対向一致する位置に逆円錐形突起片２３・・・を垂設し，また，天板１のボルト孔７，７に対向一致する位置に同じくボルト孔２４，２４を開設している。２５，２５は，芯板１４の中央部すなわち上記切込み空処２０と２０′の間に開設したボルト孔である。
【００２７】
次に，木質柱Ｂの下端部は，その中央に，柱受枠体ｂの芯板１４を受入する縦設溝２６を掘削形成するとともに，外周の対向両側面にそれぞれ上記起立板１２と当接板１５を受入する切欠段部２７，２８を形成し，かつ，上記縦設溝２６は，芯板１４の切込み空処２０，２０′と対向一致する部分を拡幅部２９，２９′とし，さらに，木質柱Ｂの下端部の中央であって拡幅部２９と２９′の間には，上記ボルト孔２５，２５と一致することになるボルト用長孔３０，３０を貫通させている。
３１，３１は，木質柱Ｂの下端部の底面であって，上記底板１１のボルト孔２４，２４に対向する位置に掘削形成した下向き空処である。
この木質柱Ｂの下端部に上記柱受枠体ｂが次のようにして取り付けられる。
【００２８】
まず，柱受枠体ｂの底板１１のボルト孔２４，２４に吊下ボルト３２，３２を挿入吊下し（図２），縦設溝２６に芯板１４を挿入しながら，吊下ボルト３２，３２の頭部を上記下向き空処３１，３１に位置させ，底板１１を木質柱Ｂの下端部の底面に近接させるとともに起立板１２を切欠段部２７に嵌合し（図３），かつ，上記切込み空処２０，２０′に設立の縦ボルト２２，２２′にナット３３，３３′を螺合することにより，そのナット周鍔を，木質柱Ｂの上記拡幅部２９，２９′に係合した状態とする（図４）。
【００２９】
そこで，縦ボルト２２，２２′に螺合している上記ナット３３，３３′を螺進することにより，底板１１を木質柱Ｂの下端部の底面に密接させる。
その後，上記当接板１５を，そのボルト孔１７・・・を横ボルト１６・・・に嵌めつつ，上記切欠段部２８に嵌入する。そして，その横ボルト１６・・・に上記合わせ皿バネ１８・・・，ナット１９・・・からなる緊締保持具ｅを嵌装し，緊締することにより，当接板１５を芯板１４の端面に取り付ける。
さらに，木質柱Ｂのボルト用長孔３０，３０と芯板１４の上記ボルト孔２５，２５に，貫通ボルトｄ，ｄを貫通しナットｄ′，ｄ′により緊締する。
これによって，木質柱Ｂの下端部に柱受枠体ｂが一体的関係をなしてしっかりと取り付けられる（図５）。
【００３０】
このように柱受枠体ｂを取り付けた木質柱Ｂは，布基礎Ｄ上に固定された前記柱支持台ａ上に乗載起立され，柱受枠体ｂを介し連結保持具ｃにより全方向に小傾動可能な状態において連結保持され，本発明柱脚構造Ｃが完成する。その連結保持具ｃは合わせ皿バネ３４・・・，ナット３５・・・からなる。
【００３１】
すなわち，木質柱Ｂは，下端部に取り付けた柱受枠体ｂの底板１１を柱支持台ａの天板１に重合するとともに，その底板１１に吊下した前記吊下ボルト３２，３２を上記天板１のボルト孔７，７に挿通し，同じく底板１１に垂設の前記逆円錐形突起片２３・・・を，同天板１の軸受孔６・・・に挿通し，かつ，ボルト孔７，７に挿通した上記吊下ボルト３２，３２に連結保持具ｃの上記合わせ皿バネ３４・・・，ナット３５・・・を装架緊締することによって，柱支持台ａ上に強固に起立保持される（図７，８）。
【００３２】
上記構成の本発明柱脚構造Ｃにおいて，木質柱Ｂは，柱受枠体ｂの底板１１に吊下した吊下ボルト３２，３２が柱支持台ａの天板１の下方で，連結保持具ｃの合わせ皿バネ３４・・・，ナット３５・・・により緊締され，かつ，同じく底板１１に垂設の逆円錐形突起片２３・・・が上記天板１の軸受孔６・・・に挿通していることが相俟って，柱支持台ａ上の所定の位置に位置決めされた状態で強固に起立保持されるものである。
【００３３】
その木質柱Ｂに地震等による所要の揺振力が加わった場合，下端部と一体的関係の柱受枠体ｂが，上記合わせ皿バネ３４・・・を適宜伸縮させ，それにその揺振力を吸収させながら柱支持台ａとの間で傾動する。このとき，逆円錐形突起片２３・・・は軸受孔６・・・内で上記傾動を阻止しないように変位する。したがって，木質柱Ｂが柱受枠体ｂとともに，柱支持台ｂに対して所定範囲内ではあるが全方向に小傾動するので，その木質柱Ｂひび割れや座屈を起こすのが阻止される。
【００３４】
また，木質柱Ｂに対する揺振力は，上記芯板１４や起立板１２の長さ方向や厚さ方向に常に直角に作用するとは限らず，これら両方向とは異なるあらゆる方向から作用する可能性がある。そのようなときにおいても，合わせ皿バネ３４・・・とナット３５・・・からなる連結保持具ｃは，木質柱Ｂの順方向への傾動を可能にし，ねじれ現象を起こさせないから，木質柱Ｂがひび割れや座屈を起こすのを防止できる。
【００３５】
さらに，上記においては，合わせ皿バネ１８・・・，ナット１９・・・からなる前記緊締保持具ｅにおいても，所定範囲内ではあるが柱受枠体ｂに対する木質柱Ｂの全方向に小傾動を許容する。このことが，木質柱Ｂのひび割れや座屈を防止するのに寄与する。
【００３６】
また，木質柱Ｂが，経年変化にともない柱受枠体ｂの起立板１２や芯板１４との間の嵌合度または密着度に変化を生じたときには，柱受枠体ｂの前記緊締保持具ｅの合わせ皿バネ１８・・・，ナット１９・・・の緊締度を調整することにより，常に最も適切な状態を維持することができる。
【００３７】
なお，上記実施例では，柱支持台ａとして，角形短筒体の内部を仕切り板５で２分し，連結保持具ｃを２個使用するものについて説明したが，図１０に示すように，角形短筒体の内部を十字に分け，連結保持具ｃを計４個使用する（この場合，柱受枠体ｂにもそれに対応する所要のボルトを吊下しておく）ようにしてもよいこと明らかで，これによれば，木質柱Ｂと柱支持台ａとの結合は一層強固になる。
【図面の簡単な説明】
【００３８】
【図１】本発明柱脚構造用金具の実施例の分解斜視図である。
【図２】当接板を除く上記柱脚構造用金具を木質柱の下端に対向配置した状態の斜視図である。
【図３】上記柱脚構造用金具を木質柱の下端に取り付けている状態の斜視図である。
【図４】同上の縦断面図である。
【図５】同じく同上の断面図で，当接板の取付けを終えた状態を示す。
【図６】布基礎にアンカー止めした柱支持台上に，柱脚構造用金具を取り付けた木質柱を乗載起立しようとしている状態の一部縦断側面図である。
【図７】布基礎にアンカー止めした柱支持台上に，木質柱の上記柱脚構造用金具を乗載連結し終えた状態の一部縦断面図である。
【図８】同上の斜視図である。
【図９】図７のＩ−Ｉ線断面図である。
【図１０】柱支持台の他の例を説明するための断面図である。
【符号の説明】
【００３９】
Ａ        柱脚構造用金具
Ｂ        木質柱
Ｃ        柱脚構造
Ｄ        布基礎
ａ        柱支持台
ｂ        柱受枠体
ｃ        連結保持具
ｄ        貫通ボルト
ｄ′      ナット
ｅ        緊締保持具
１        天板
６        軸受孔
７        ボルト孔
１１      底板
１２      起立板
１３      Ｌ形枠
１４      芯板
１５      当接板
１６      横ボルト
１７      ボルト孔
１８      合わせ皿バネ
１９      ナット
２０，２０′    切込み空処
２１，２１′    窓孔
２２，２２′    縦ボルト
２３            逆円錐形突起片
２４            ボルト孔
２５            ボルト孔
２６            縦設溝
２７，２８      切欠段部
３０            ボルト用長孔
３２            吊下ボルト
３３，３３′    ナット
３４            合わせ皿バネ
３５            ナット
【図１】
2007138507.tif 000003
【図２】
2007138507.tif 000004
【図３】
2007138507.tif 000005
【図４】
2007138507.tif 000006
【図５】
2007138507.tif 000007
【図６】
2007138507.tif 000008
【図７】
2007138507.tif 000009
【図８】
2007138507.tif 000010
【図９】
2007138507.tif 000011
【図１０】
2007138507.tif 000012